Podtech/llm-jp-corpus-v4-ja_patent huggingface dataset:
(57)【要約】
【課題】　ゴルフのパタークラブにおいて、シャフトとヘッドとがなす角度を、使用する者の好みに合わせて調節することができるパターを提供すること。
【解決手段】　アルミニウム製のヘッド（１）、スチール製のシャフト（２）および両者をつなぐステンレス鋼製のネック部材（３）の３種の構成部品からなるゴルフのパターであって、ネック部材は、下部がオネジ（４）であり、中央部がそれより大径の円柱部（５）であって、上部はシャフトの先端へ挿入して固定するのに適した形状を有し、ヘッドはネック部材下部のオネジとかみ合うメネジおよび円柱部を受け止めるザグリ部（６）を有している。これら３種の構成部品を組み合わせ一体化したのち、ヘッドを固定してシャフトを動かすことによりネック部材を塑性変形させて、ヘッドとシャフトとの角度を任意に調節する。
【選択図】　図３
0003100469.tif 000002
【実用新案登録請求の範囲】
【請求項１】
金属製のヘッド（１）、金属製またはＦＲＰ製のシャフト（２）および両者をつなぐ金属製のネック部材（３）の３種の構成部品からなるゴルフのパタークラブにおいて、ネック部材は、下部がオネジ（４）であり、中央部がそれより大径の円柱部（５）であって、上部はシャフトの先端へ挿入して固定するのに適した形状を有し、ヘッドはネック部材下部のオネジとかみ合うメネジおよび円柱部を受け止めるザグリ部（６）を有していて、上記３種の構成部品を組み合わせ一体化した状態において、ヘッドとシャフトとがなす角度が、ネック部材の塑性変形により調節可能であることを特徴とするパタークラブ。
【請求項２】
ヘッドがアルミニウム製であり、シャフトがスチール製であり、ネック部材がステンレス・スチール製である請求項１のパタークラブ。
【考案の詳細な説明】
【技術分野】
【０００１】
本考案は、ゴルフのパタークラブに関し、シャフトとヘッドとの角度を任意に調節することができるパタークラブを提供する。
【背景技術】
【０００２】
ゴルフクラブのうちでもパターは、使用する者の好みによって、シャフトとヘッドとのなす最適な角度が、種々異なる。そこで最近は、両者の関係を、調節可能にすることが試みられている。たとえば、シャフトをヘッドに対して傾動可能に取り付け、傾動角度を固定する角度保持機構を設けたものがある（特許文献１）。ヘッドに対してシャフトが複数の取り付け角度を選べるように、スプライン軸を用いたり（特許文献２）、ラチェット機構を使用したり（特許文献３）する提案もある。
【０００３】
シャフトとヘッドとの角度を調節することを意図した、そのほかのパターとしては、ホーゼルを交換可能にして、その形状や材質を変更するという手法を選んだものがあり（特許文献４）、ライ角を調節するため、ヘッドにシャフトをネジ止めにしたパターもある（特許文献５）。
【特許文献１】特開平１１−１２３２５２
【特許文献２】特開２０００−１０７３３０
【特許文献３】特開２００２−５２１０２
【特許文献４】特開平１１−２７６６４８
【特許文献５】特開２００２−３５１７７
【０００４】
しかし、パターのシャフトとヘッドとの関係はきわめて微妙に調節する必要があり、既知の技術に見るような、ディスクリートな値での調節、換言すればディジタルな調節では、いまひとつしっくり来ない。それぞれのクラブ使用者にとって最適な関係を、アナログな手法で見出し、固定することが望まれる。
【考案の開示】
【考案が解決しようとする課題】
【０００５】
本考案の目的は、ゴルフのパタークラブにおいて、シャフトとヘッドとがなす角度を、使用する者の好みにぴったりと合わせて調節することができ、それによってベストコンディションでパッティングができるパターを提供することにある。
【課題を解決するための手段】
【０００６】
上記の目的を達成する本考案のパターは、図１ないし図４に示すように、金属製のヘッド（１）、金属製またはＦＲＰ製のシャフト（２）および両者をつなぐ金属製のネック部材（３）の３種の構成部品からなるゴルフのパターにおいて、ネック部材は、下部がオネジ（４）であり、中央部がそれより大径の円柱部（５）であって、上部はシャフトの先端へ挿入して固定するのに適した形状を有し、ヘッドはネック部材下部のオネジとかみ合うメネジおよび円柱部を受け止めるザグリ部（６）を有していて、上記３種の構成部品を組み合わせ一体化した状態において、ヘッドとシャフトとがなす角度が、ネック部材の塑性変形により調節可能であることを特徴とする。
【考案の効果】
【０００７】
ネック部材の下部をヘッドにねじ込んで行くと、大径の円柱部がザグリ部に当たったところで止まり、そこで両者は固定されて、ネジがゆるむことがなくなる。そこでネック部材の上部をシャフトに挿入し、３種の構成部品を一体化する。このようにしてできたパタークラブは、ベンディング・バーを使用してネック部材を塑性変形させ、クラブ使用者にとってもっとも使いやすくなるようにヘッドとシャフトとの関係を決定し、固定することができるから、最適なライ角およびロフト角を一挙に実現することが可能である。
【考案を実施するための最良の形態】
【０００８】
上述のようなネック部材の塑性変形によるヘッド／シャフト関係の形成と、形成された関係の確保が可能であるためには、ヘッドとネック部材との材質の選択・組み合わせが重要である。ネック部材は、上述のように、ヘッドを固定して力を加えることにより塑性変形することができる程度の柔軟さをもつと同時に、いったん変型して適切な角度を実現したのちは、ボールを打ったりグラウンドに当たったりしたくらいの力では、さらに変型することがない程度の、強度と剛性をもっていなければならない。
【０００９】
一方、ヘッドは、ネック部材より剛性が高いものは不適当であり、また、ヘッドはブロック状で存在し、そこへネック部材をネジ込むという関係であるから、軟らかい材料であっても、上述のような角度の調節作業に十分に耐える。パターのヘッドの材料としては、アルミニウムまたはその合金が多く使用されており、本考案のパタークラブにおいても、アルミニウムが好適である。
【００１０】
ヘッドの材質としてアルミニウムを選択した場合、ネック部材の材質としては、一般にスチールが、塑性変形のしやすさと、強度および剛性とのバランスにおいて適切である。常用のカーボン・スチールはさびの問題があるから、それを原理的に避ける意味で、ステンレス・スチール、代表的にはＳＵＳ３０３や３０４が最適である。シャフトは、ネック部材と接合する先端部が強固であることを要するが、そのほかには、とりたてて条件はなく、常用の金属製またはＦＲＰ製、代表的にはスチール製のものが、好適に使用できる。
【図面の簡単な説明】
【００１１】
【図１】本考案のパタークラブの、全体の構成を示す正面図。
【図２】図１のパタークラブのヘッド部分を示す平面図。
【図３】図２のヘッドに対してネック部材をねじ込むところを示す、Ｉ−Ｉ方向の拡大断面図。
【図４】図３に続いて、ヘッドにネック部材をねじ込んだところを示す斜視図。
【符号の説明】
【００１２】
１　ヘッド
２　シャフト
３　ネック部材
４　オネジ
５　円柱部
６　ザグリ部
【図１】
0003100469.tif 000003
【図２】
0003100469.tif 000004
【図３】
0003100469.tif 000005
【図４】
0003100469.tif 000006
(57)【要約】
【課題】　タコグラフ記録紙のセット物組み付けの信頼性向上と組み付けの生産性向上を目的としたタコグラフ記録紙のセット物組み付けの改良を提供する。
【解決手段】　チャート紙７日用Ｎｏ１−７（１）３日用Ｎｏ１−３（２）の外周部一角に凸部を設ける。台紙（３）の一角に凸部を設ける。（１）、（２）ともに（３）の中心部に設けたチャートリング（４）に重ね合わせる。（４）にセットした後（４）の端面にボス加工を設けたことを特徴とする。
【選択図】　図１
0003100464.tif 000002
【実用新案登録請求の範囲】
【請求項１】
チャート紙７日用Ｎｏ１−７（１）３日用Ｎｏ１−３（２）の外周部の一角に凸部を設け台紙（３）の外周部の一角に凸部を設ける。（１）、（２）ともに（３）の中心部に設けたチャートリング（４）に重ね合わせ（１）、（２）とも（３）の凸部に合わせ糸止め加工を設けたタコグラフ記録紙のセット物組み付け
【請求項２】
（１）、（２）ともに（３）の中心部に設けた（４）に重ね合わせ、（４）から（１）、（３）が外れないよう（４）にボス加工を設けたタコグラフ記録紙のセット物組み付け
【考案の詳細な説明】
【考案の詳細な説明】
【技術分野】
【０００１】この考案は、タコグラフ記録紙のセット物組み付けに関するものである。
【背景技術】
【０００２】従来よりタコグラフ記録紙のセット物組み付けはあった。
【考案が解決しようとする課題】
【０００３】これは次のような欠点があった。
（イ）チャート紙を組み付ける時、接続紙で止める方法があるが組み付け時間が掛った。
（ロ）タコグラフ本体に取り付ける前に接続紙が切れたり、リングから外れたりする事があった。
本考案は、以上の欠点を解決するために考案されたものである。
【課題を解決するための手段】
【０００４】チャート紙７日用Ｎｏ１−７（１）３日用Ｎｏ１−３（２）の外周部一角に凸部を設ける。台紙（３）の一角に凸部を設ける。（１）、（２）ともに（３）の中心部に設けたチャートリング（４）に重ね合わせる。（４）にセットした後（４）の端面にボス加工を設ける。
本考案は、以上の構成よりなるタコグラフ記録紙のセット物組み付けである。
【考案を実施するための最良の形態】
【０００５】以下、本考案の実施の形態を説明する。
（イ）　チャート紙７日用Ｎｏ１−７（１）３日用Ｎｏ１−３（２）の外周部に（３）の凸部とを中心部に設けたチャートリング（４）に重ね合わせ（１）、（２）とも（３）の凸部に合わせ糸止めする。
（ロ）　（４）に（１）又は（２）を重ねたら（４）の端面にボス加工を施す。
本考案は、以上の構成よりなっている。
本考案を使用するときは、タコグラフに装着するときは従来の方法で使用することができる。
【考案の効果】
【０００６】本考案を使用することによって、組み付け方法が簡単になり、組み付け時間が短縮できる。（４）の端面にボス加工を施す事により、チャート紙が簡単に外れないため、タコグラフに装着するまで扱いが楽である。
【図面の簡単な説明】
【図１】　　本考案の斜視図
【図２】　　本考案の分解斜視図
【図３】　　本発明の使用状態を示す斜視図
【符号の説明】
　　１　チャート紙Ｎｏ１−７
　　２　チャート台紙
　　３　チャートリング
　　４　凸部
　　５　タコグラフ本体
【図１】
0003100464.tif 000003
【図２】
0003100464.tif 000004
【図３】
0003100464.tif 000005
(57)【要約】
【課題】　加熱中の鍋に使用している鍋蓋を安全かつ清潔に保持し、かつ構造がシンプルな鍋蓋置きを提供する。
【解決手段】　２つの半楕円部と該半楕円部を垂直に連結する２本の支柱からなり、該半楕円部の開口部は同一方向とする。
【選択図】　図１
0003100463.tif 000002
【実用新案登録請求の範囲】
【請求項１】
　楕円を短径面で切断してなる２つの略半楕円部と、該半楕円部を垂直に連結する２本の支柱からなる鍋蓋置きであって、
　該半楕円部の開口部は同一方向であることを特徴とする鍋蓋置き。
【請求項２】
　前記上部半楕円部は、前記下部半楕円部より長径が短いことを特徴とする請求項１に記載の鍋蓋置き。
【請求項３】
　前記上部半楕円部は、開口部から閉口部に向かって下がる傾斜をなしていることを特徴とする請求項１に記載の鍋蓋置き。
【請求項４】
　前記上部半楕円部の両端点に差し込み部を設け、前記支柱の上部端点に差し込み口を設けて、前記上部半楕円部を着脱可能としたことを特徴とする請求項１に記載の鍋蓋置き。
【考案の詳細な説明】
【考案の詳細な説明】
【技術分野】
【０００１】　本考案は、加熱中の鍋に使用している鍋蓋を安全かつ清潔に取り扱うことができる鍋蓋置きに関する。
【背景技術】
【０００２】　加熱中の鍋にかぶせた鍋蓋は高温になり、かつその裏側に水滴が付着する。一時的に鍋から鍋蓋をはずした場合、裏側を上に向けて置くと、鍋蓋のつまみ部分を掴むときに鍋蓋の高温部に触れてやけどをする恐れがある。また、鍋蓋を伏せて置くと、裏側に付着した水滴が垂れて鍋蓋及び周囲が不衛生である。【０００３】　従来、鍋蓋置きには鍋蓋を縦に置く形式のものがあるが、裏側に付着した水滴が垂れてしまうという欠点があった。
【考案の解決しようとする課題】
【０００４】　上記のような現状に鑑み、本考案は、加熱中の鍋に使用している鍋蓋を安全かつ清潔に取り扱うことができ、かつ構造がシンプルな鍋蓋置きを提供することを目的とする。
【課題を解決するための手段】
【０００５】　上記の目的を達成するべく、本考案による鍋蓋置きは、楕円を短径面で切断してなる２つの略半楕円部と該半楕円部を垂直に連結する２本の支柱からなり、該半楕円の開口部は同一方向であることを特徴とする。
【０００６】　また、本考案の鍋蓋置きは、上部半楕円が下部半楕円より長径が短いことを特徴とする。
【０００７】　また、本考案の鍋蓋置きは、前記上部半楕円が開口部から閉口部に向かって下がる傾斜をなしていることを特徴とする。
【０００８】　また、本考案の鍋蓋置きは、他の実施例として、前記上部半楕円部の両端点に差し込み部を設け、前記支柱の上部端点に差し込み口を設けて、前記上部半楕円部が着脱可能であることを特徴とする。
【考案を実施するための最良の形態】
【０００９】　以下、図面を参照して本考案の実施の形態について説明する。
　図１は、本考案による鍋蓋置きの斜視図である。図１に示す鍋蓋置き１は、一体成型または一体連結・結合型の外観を示しており、楕円を短径面で切断してなる２つの略半楕円部と、該半楕円部を垂直に連結する２本の支柱からなる。上部半楕円部２と下部半楕円部３の開口部側が前面であり、こちらを手前にして使用する。上部半楕円部２と下部半楕円部３はそれぞれの開口部の端点において垂直の支柱４によって結合している。上部半楕円部２は、下部半楕円部３よりも長径を小さくすることが望ましい。また、鍋蓋５の裏側に付着した水分を一カ所に集めるため、上部半楕円２は開口部から閉口部に向かって下がる緩やかな傾斜をなす。【００１０】　図２は、図１に示した鍋蓋置き１に、鍋蓋５を置いた状態を示す斜視図である。このように、鍋からはずした鍋蓋５の裏側を上向きにして、上部半楕円部２に乗せる。このとき、立ち上がった縁がある鍋蓋の場合、鍋蓋置き１に乗せた鍋蓋５に付着した水滴は上部半楕円部２の傾斜により傾斜下部に溜まる。この溜まった水滴はこぼさずに捨てることができる。縁がない鍋蓋の場合、上部半楕円部２の閉口部を流し台のシンクなどに向けることによって、水滴がこぼれて周辺を汚すことを避けることができる。【００１１】　また、鍋蓋置き１から鍋蓋５を持ち上げる場合、鍋蓋５の下部には障害物がないため、手が鍋蓋５に触れることなく、安全にかつ極めて容易に鍋蓋のつまみ６を掴むことができる。【００１２】　図３（Ａ）は、図１の一体成型型鍋蓋置きと異なり、支柱部に連結用の差し込み部を設けることにより分解可能とした第２実施例を示す図である。即ち、上部半楕円部２の開口部の両端点に差し込み部７を取り付け，前記支柱４の頂部に差し込み口８を設置する。差し込み口８に差し込み部７を挿入し、支柱４に上部半楕円部２を連結して使用する。【００１３】　図３（Ｂ）は、分解した鍋蓋置き１を収納する時の状態を示す図である。差し込み部７を上部に向けた状態で上部半楕円部２と下部半楕円部３を重ねることによって、スペースをとらずに収納することができる。【００１４】　尚、材質は、軽量で伝熱性の少ないもの、例えばステンレスや耐熱プラスチック等が好適である。また、断面の形状及び太さは任意であるが、鍋蓋を乗せて使用するため、安定性のある角形あるいは丸形で、太さが０．５〜１ｃｍ前後のものが好適である。
【考案の効果】
【００１５】　以上の通り、本考案による鍋蓋置きは、加熱中の鍋に使用している鍋蓋を安全かつ清潔に保持することができる。また、鍋蓋の取り置き時に人の手が往復するが、半楕円部の開口部には障害物がないため、調理中の鍋蓋を安全かつ極めて容易に取り扱うことができる。
【００１６】　また、分解可能であるため、省スペースで収納することができる。
【００１７】　また、構造がシンプルであり、かつ材質が軽量で安価であるため、取り扱いも簡単であり、低コストで提供することができる。
【図面の簡単な説明】
【００１８】
【図１】　本考案による鍋蓋置きの概略斜視図である。
【図２】　図１の鍋蓋置きに鍋蓋を置いた状態を示す概略斜視図である。
【図３】　（Ａ）は、本考案に係る第２実施例を示した概略斜視図であり、（Ｂ）は分解した着脱自在の鍋置き（Ａ）の収納時の状態を示す概略斜視図である。
【符号の説明】
【００１９】　１：　鍋蓋置き
　２：　上部半楕円部
　３：　下部半楕円部
　４：　支柱
　５：　鍋蓋
　６：　鍋蓋のつまみ
　７：　差し込み部
　８：　差し込み口
【図１】
0003100463.tif 000003
【図２】
0003100463.tif 000004
【図３】
0003100463.tif 000005
(57)【要約】
【課題】　従来では毛布のカバーはあるが毛布自体が柔らかい為、毛布とカバーが分離してしまう為、衿の部分と裾の部分を糸で縫い付けて使用している。もう一つの方法はバスタオル等を利用して衿部分に掛け、糸で縫い付けて使用しているが両者も洗濯の度にいちいち糸をほごき、又縫いつける作業を一冬に何回も何枚もしなくてはならない。
【解決手段】　本考案はこの面倒で時間のかかる作業を解消する為に考案されたもので、長方形の布地（１）を横に二つ折りにし、端側に長さ５ｃｍの長方形の布テープ（２）を所定間隔に６ヶ所に綴り紐状（４）が通る様に両端を縫い付け、反対側には重合して布テープ（２）の位置に合わせ、ハトメ（３）を並列に２個づつ所定間隔に付ける。綴り紐状（４）を６ヶ所に通して、使用する毛布の衿部分を布地（１）で挟む様に掛け重合させて綴り紐状を毛布とハトメに通して結んで固定する。
【選択図】　　　図３
0003100465.tif 000002
【実用新案登録請求の範囲】
【請求項１】
　布地１に布テープ２とハトメ３を付けて綴り紐状４で重合して固定した毛布の衿カバー
【考案の詳細な説明】
【考案の詳細な説明】
【考案が解決しようとする課題】
【０００１】　この考案は毛布の織成が荒いので綴り紐状で容易に通ることを利用した毛布の衿カバーである。従来では毛布のカバーはあるが、毛布自体が柔らかい為、カバーと毛布が分離してカバーの中で毛布が丸まってしまう。その為、衿の部分と裾の部分を糸で縫い付けて使用している。しかし、カバーをしてしまうと本来の毛布の暖か味が損なわれてしまう。もう一つの方法はバスタオル等を利用して衿部分に掛けて糸で縫い付けて使用しているが、両者も洗濯の度にいちいち糸をほごき、又縫い付ける作業を一冬に何回も何枚もしなくてはならない。
【課題を解決するための手段】
【０００２】　本考案は、この面倒で時間のかかる作業を解消する為に考案されたもので、以下図面と共に説明すれば、肌触りのよい布地（１）を縦６０ｃｍ、横１ｍの長方形を横に二つ折りにし端側に長さ５ｃｍの長方形の布テープ（２）を所定間隔に６ヶ所に綴り紐状が通る様に両端を縫い付け、反対側には重合して布テープ（２）の位置に合わせ、ハトメ（３）を並列に２個づつ、所定間隔に付ける。そして布テープ（２）に綴り紐状（４）をそれぞれ６ヶ所に通す。
【考案の効果】
【０００３】　綴り紐状は先端が細く硬くて丈夫なので、毛布の様な織成の荒い生地は容易に通すことが出来る。使用する毛布の衿部分に布地（１）を挟む様に掛け、綴り紐状（４）を毛布に回しながら通し、さらにハトメ（３）にも通し重合させて、綴り紐状（４）で結んで固定する。この様な構成であるので綴り紐状（４）の結び目を解けばすぐ布地（１）がはずせ、着脱が容易である為、洗濯も簡単に出来便利である。
【図面の簡単な説明】
【図１】長方形の布地の端側に布テープを縫い付け、反対側にハトメを所定間隔に付けた平面図である。
【図２】第１図の布テープに綴り紐を通した拡大図である。
【図３】毛布に長方形の布地と重合させ、綴り紐で結んだ斜視図である。
【符号の説明】
　　１　長方形の布地
　　２　布テープ
　　３　ハトメ
　　４　綴り紐
【図１】
0003100465.tif 000003
【図２】
0003100465.tif 000004
【図３】
0003100465.tif 000005
(57)【要約】　　　（修正有）【課題】新しい色彩をもつ紙の芸術を産み、美術への情操教育に貢献し、紙の需要を拡大できる。【解決手段】有色紙を重ねることによりできる厚みと色彩を彫刻刀やカッターナイフで絵画、図案、写真、文字等又は複合したものを彫る工程とからなる有色紙への新規彫刻方法。【選択図】図３
0003100236.tif 000002
【実用新案登録請求の範囲】
【請求項１】
着色された絵画、図案、写真、及び文字等のいずれか又は複合したものを下絵とし、着色された絵画、図案、写真、及び文字等のいずれか又は複合したものに相当する色数の有色紙を選択し、彫りすすめる順番を決め、彫りすすめる順番に従い有色紙を重ね、重ねた有色紙の最上部に、着色された絵画、図案、写真、及び文字等のいずれか又は複合した下絵を乗せ、着色された絵画、図案、写真、及び文字等のいずれか又は複合したものに相当する色数の有色紙とともにホチキスで綴じ、出現させたい色の有色紙の上にカッティングマットを乗せ下絵の線にしたがい下絵とともに彫刻刀やカッターでカッティングマットが露出するまで彫り取り、彫りすすめる順番に従いすべての図柄が彫り取られたのち、最後に下絵の残りを取り外して完成する、有色紙を用いて紙を彫ることにより表現された絵画。
【考案の詳細な説明】
【０００１】
【考案の属する技術分野】
本考案は有色紙を重ねることによってできる厚みと色彩の紙を彫る彫刻に関する。
【０００２】
【考案の実施の形態】
以下、本考案の実施の形態を図１〜図５に基づいて説明する。
【０００３】
図２においては、１から１９は有色紙を重ねる順番を表す番号。番号の数は有色紙の枚数を表し、下絵に基づいた色数が決定される。
【０００４】
図３においては、２０は最上部にのせる図案例。
【０００５】
図３においては、２１から３９は重ねる順番に並べられた有色紙。
【０００６】
図３においては、４０は図案と有色紙を固定するホチキス。
【０００７】
図５においては、４１から４４は図柄に応じて彫り取られた有色紙の枚数を表し、４１は花びら▲１０▼を彫り出すために▲１０▼の有色紙の上にカッティングマットを置き、カッティングマットが露出するまで彫り取られた状態を示す。このように全ての番号部分を彫り取ることにより、下絵と同様の色彩を持つ絵が完成される。
【０００８】
【考案の効果】
上述したように本考案の彫紙アートは有色紙を重ねて、彫刻刀やカッターナイフで絵画、図案、写真及び文字等を素材としてそのイメージを彫り出すことにより新しい色彩をもつ紙の芸術を産み、美術への情操教育に貢献し、紙を彫る行為には紙の厚みを必要とし、豊富な色の表現には有色紙の枚数を必要とする為紙の需要を拡大できる。
【図面の簡単な説明】
【図１】本考案の実施の形態を示す彫紙アートの下絵例図
【図２】同彫紙アートの有色紙を重ねる順を示す下絵例図
【図３】同彫紙アートの外観図
【図４】同彫紙アートの正面図
【図５】同彫紙アートの図４におけるＡ−Ａ’線断面図
【図１】
0003100236.tif 000003
【図２】
0003100236.tif 000004
【図３】
0003100236.tif 000005
【図４】
0003100236.tif 000006
【図５】
0003100236.tif 000007
【手続補正書】
【提出日】平成15年6月30日(2003.6.30)
【手続補正１】
【補正対象書類名】明細書
【補正対象項目名】実用新案登録請求の範囲
【補正方法】変更
【補正の内容】
【実用新案登録請求の範囲】
【請求項１】
穴を有する複数の有色紙を複数枚重ねてなる絵画において、着色された絵画、図案、写真、及び文字等のいずれか又は複合したものを下絵とし、着色された絵画、図案、写真、及び文字等のいずれか又は複合したものに相当する色数の上記有色紙を選択し、彫りすすめる順番を決め、彫りすすめる順番に従い有色紙を重ね、重ねた有色紙の最上部に、着色された絵画、図案、写真、及び文字等のいずれか又は複合した下絵を乗せ、着色された絵画、図案、写真、及び文字等のいずれか又は複合したものに相当する色数の有色紙とともにホチキスで綴じ、出現させたい色の有色紙の上にカッティングマットを乗せ下絵の線にしたがい下絵とともに彫刻刀やカッターでカッティングマットが露出するまで彫り取ることにより上記穴を形成し、彫りすすめる順番に従いすべての図柄が彫り取られたのち、最後に下絵の残りを取り外して完成する、有色紙を用いて紙を彫ることにより表現された絵画。
【手続補正書】
【提出日】平成15年9月24日(2003.9.24)
【手続補正１】
【補正対象書類名】明細書
【補正対象項目名】実用新案登録請求の範囲
【補正方法】変更
【補正の内容】
【実用新案登録請求の範囲】
【請求項１】
穴を有する複数の有色紙を複数枚重ねてなる絵画において、着色された絵画、図案、写真、及び文字等のいずれか又は複合したものを下絵とし、着色された絵画、図案、写真、及び文字等のいずれか又は複合したものに相当する色数の上記有色紙を選択し、彫りすすめる順番を決め、彫りすすめる順番に従い有色紙を重ね、重ねた有色紙の最上部に、着色された絵画、図案、写真、及び文字等のいずれか又は複合した下絵を乗せ、着色された絵画、図案、写真、及び文字等のいずれか又は複合したものに相当する色数の有色紙とともにステプラーで綴じ、出現させたい色の有色紙の上にカッティングマットを乗せ下絵の線にしたがい下絵とともに彫刻刀やカッターでカッティングマットが露出するまで彫り取ることにより上記穴を形成し、彫りすすめる順番に従いすべての図柄が彫り取られたのち、最後に下絵の残りを取り外して完成する、有色紙を用いて紙を彫ることにより表現された絵画。
(57)【要約】　　　（修正有）【課題】従来のものは、容器本体と小容器が別々になっており、オーバーキャップ等を用いて一つの容器にしているものがあるがコストが高くなる問題があった。また、本体容器の脚部に小容器を嵌合させた一体化されているものもあるが、流通過程において、特に輸送時の衝撃等で小容器が外れてしまう問題があり、シール等を用いらなくてはいけなかった。従って、本案はコストアップさせず、一体化された収納スペースから小容器を自在に着脱でき、輸送時の衝撃等では外れにくい事を目的とするものである。【解決手段】本体容器上面が開放されかつ下部に上底及び下底を有する２段式カップに於いて、一体化させる為に上容器下底と台座との間の側面部に２本の脚部で収納スペースを設けており、その収納スペースに着脱式の小さな容器を収納することが出来る容器。また、その台座には、ストッパーと止め部をつけることによって着脱可能な下容器を固定出来る事を特徴とした２段式カップである。【選択図】図２
0003100240.tif 000002
【実用新案登録請求の範囲】
【請求項１】
本体容器上面が開放されかつ下部に上底及び下底を有する２段式カップに於いて、一体化させる為に上容器下底と台座との間の側面部に２本の脚部で収納スペースを設けており、その収納スペースに着脱式の小さな容器を収納することが出来る容器。また、その台座には、ストッパーと止め部をつけることによって着脱可能な下容器を固定出来る事を特徴とした２段式カップ。
【考案の詳細な説明】
【０００１】
【考案の属する技術分野】
本考案は小容器の着脱自在が可能かつ外れにくい２段式カップに関する。
【０００２】
【従来の技術】
一般に、コーヒーゼリー、プリン、ヨーグルト等の食品において、食べる前にクリームやシロップやフルーツソース等のソースを個人の好みに合せ、それらを食品にかけて食する事が行われている。
従来、ヨーグルト等の主食品を充填した本体容器にフルーツソース等のソースが充填した小容器を収容することが出来る容器が、例えば実公昭５８−５２２２５、実公平３−３３６６１、実開平４−４８１７５などに開示されている。
【０００３】
【考案が解決しようとする課題】
従来のものは、容器本体と小容器が別々になっており、オーバーキャップ等を用いて一つの容器にしているものがあるがコストが高くなる問題があった。また、本体容器の脚部に小容器を嵌合させた一体化されているものもあるが、流通過程において、特に輸送時の衝撃等で小容器が外れてしまう問題があり、シール等を用いらなくてはいけなかった。従って、本案はコストアップさせず、一体化された収納スペースから小容器を自在に着脱でき、輸送時の衝撃等では外れにくい事を目的とするものである。
【０００４】
【考案が解決する為の手段】
以上の目的を達成する為、本案のものは次のような下容器の着脱自在が可能、かつ下容器が輸送時の衝撃等による収納スペースから外れにくい２段式カップを提供するものである。
すなわち、本体容器上面が開放されかつ下部に上底及び下底を有する２段式カップに於いて、一体化させる為に上容器下底と台座との間の側面部に２本の脚部で収納スペースを設けており、その収納スペースに着脱式の小さな容器を収納することが出来る容器。また、その台座には、ストッパーと止め部をつけることによって着脱可能な下容器を固定出来る事を特徴とした２段式カップである。
【０００５】
【実施例】
以下、図面に示す実施例について説明する。
第１図は本考案の２段式カップ正面図及び下容器の正面図、第２図は下容器セット後の２段式カップ側面図、第３図は２段式カップの断面図である。
第１図において本体１はプラスチック製の収納スペース付カップであって、内部にヨーグルト，プリン等のデザート食品を収納できるようにその上面９は開放され、かつ下部には上底及び下底が設けられている。この上底及び下底の間には下容器６を収納する事が出来る収納スペースが設けられ、この収納スペースの下部には台座３を設けている。その台座３にはストッパー７及び止め部５が設けられている。
第２図において、下容器６をセットした状態の側面図であるが、台座３からストッパー７は下容器６を止める機能があり、止め部５は小容器６を固定する機能がある。
第３図において、下容器６をセットした状態の断面図である。
【０００６】
【考案の効果】
本考案に係る容器は上述の如き構造と作用とを有するので、容器内にヨーグルト、プリン等のデザート食品を収納すると共に、その下部に設けた収納スペース内にフルーツソース、クリーム等の添加食品が充填された下容器を常に収納することが出来る。
従って、デザート食品を食する際に直ちに下容器より添加食品を取り出して使用することが出来る。
また、下容器は収納スペースの側面に設けられた窓より自在に着脱することが簡単にでき、これによって必要に応じて小容器内の添加食品を簡単に取り出す事ができ、輸送時による衝撃等では、下容器が外れない構造にもなっている為、余分なシール等のコストをカットする事が出来る特徴を有するものである。
【０００７】
【図面の簡単な説明】
【図１】第１図は、本考案の２段式カップの正面図及び下容器の正面図、
【図２】第２図は２段式カップ側面図、
【図３】第３図は２段式カップ断面図である。
１・・・本体、２・・・上容器、３・・・台座、４・・・脚部、５・・・止め部、６・・・下容器、７・・・ストッパー、８・・・収納スペース、９・・・上面。
【図１】
0003100240.tif 000003
【図２】
0003100240.tif 000004
【図３】
0003100240.tif 000005
【手続補正書】
【提出日】平成15年9月18日(2003.9.18)
【手続補正１】
【補正対象書類名】明細書
【補正対象項目名】実用新案登録請求の範囲
【補正方法】変更
【補正の内容】
【実用新案登録請求の範囲】
【請求項１】
上面が開放される本体と２本の脚部からなる収納スペースとストッパーと止め部のついた台座からなる一体型の２段式カップにおいて、一体化させる為に上容器下底と台座との間の側面部に２本の脚部で収納スペースを設けており、着脱可能な小容器を台座のストッパーと止め部で固定した事を特徴とする２段式カップ。
(57)【要約】【課題】日本酒を選択する基準を、明確化、視覚化する事により購入者の選択を容易にし、又販売者も誰でも簡単に説明できる事を可能にする事。【解決手段】小売店における代表的食材（肉類、魚類）との相性を分析し小売店店頭で色、記号等でその結果を判りやすく表示することにより購入者、販売者双方が選択基準を瞬時に判断できるようにした事。【選択図】　図３
0003100239.tif 000002
【実用新案登録請求の範囲】
【請求項１】
日本酒と食材（肉類、魚類）の相性を、小売店店頭で判りやすく表示し購入者、販売者双方が日本酒を選択しやすくする表示方法。
【考案の詳細な説明】
【０００１】
【考案が解決しようとする課題】
従来、日本酒において購入者は小売店に於いて表示が不十分な為に買いづらく、又販売者も製造者からの情報が不十分な為に商品説明が困難で販売しづらいという問題点を有していた。
【０００２】
【課題を解決するための手段】
上記目的を達成するために、日本酒と食材（肉類、魚類）との相性を診断しその結果を小売店店頭に於いて視覚化することにより、購入者が日本酒を買いやすくし販売者からも商品説明を容易にした。
【０００３】
【考案の効果】
視覚化することにより購入者は、売り場に於いて日本酒を買い易くなり、又販売者は商品説明が容易になる。
【図面の簡単な説明】
【図１】小売店の売り場の図である。
【図２】天井から吊るすボードである。
【図３】棚に付ける商品説明書（カード）である。
【符号の説明】
１、天井から吊るすボード
２ａ、棚に付ける商品説明書
２ｂ、棚に付ける相性説明書（縮小版）
【図１】
0003100239.tif 000003
【図２】
0003100239.tif 000004
【図３】
0003100239.tif 000005
【手続補正書】
【提出日】平成15年7月14日(2003.7.14)
【手続補正２】
【補正対象書類名】明細書
【補正対象項目名】実用新案登録請求の範囲
【補正方法】変更
【補正の内容】
【実用新案登録請求の範囲】
【請求項１】
日本酒と食材（肉類、魚類）の相性を、小売店店頭で判りやすく表示し購入者、販売者双方が日本酒を選択しやすくする表示具。
【手続補正書】
【提出日】平成15年10月15日(2003.10.15)
【手続補正１】
【補正対象書類名】明細書
【補正対象項目名】実用新案登録請求の範囲
【補正方法】変更
【補正の内容】
【実用新案登録請求の範囲】
【請求項１】
日本酒と食材（肉類、魚類）の相性を、判りやすくするためにボードに色形の異なるシールを貼り付けた表示具。
(57)【要約】　　　（修正有）【課題】鉄道車両の通勤車のつり革を増設する。【解決手段】従来のつり革の取り付けパイプ１に直行する方向にパイプを配置し、さらにその直行パイプを利用して従来のパイプに平行なパイプ３を増設して、それらにつり革５を取り付けることにより、つり革を増設する。【選択図】図２
0003100234.tif 000002
【実用新案登録請求の範囲】
【請求項１】
鉄道車両の通勤車のつり革は２列のパイプに取り付けてあるが、この２列のパイプ１に結合金具をかいして直行する方向にパイプ２を配置し、パイプ２と結合金具をかいしてパイプ１と平行にパイプ３を配置して、パイプ２、パイプ３にもつり革を設けることを特徴とするつり革の増設構造。
【考案の詳細な説明】
【考案の詳細な説明】
【技術分野】
【０００１】　本考案は、鉄道車両の通勤車のつり革の増設構造に関する。
【背景技術】
【０００２】　従来、鉄道車両の通勤車のつり革は、中央にエアコンユニットがあるために、エアコンユニットの両脇に１本ずつ２列のパイプを車両の長手方向に通して、そのパイプにつり革をぶらさげるようになっている。
【考案が解決しようとする課題】
【０００３】　特に出入り口付近はつり革が多く必要だが、中央にエアコンユニットがあるため、通常の車両の構造部材にねじ座を仕込んで、そのねじ座を介してパイプを取り付けつり革を増設する方法は困難である。
【課題を解決するための手段】
【０００４】　上記問題を解決するために、図１、図２に示すように、従来の２列のパイプ１に取り付け金具４によりパイプ２を直行する方向に配置し、またこれに取り付け金具４を取り付け、パイプ３をパイプ１と平行に通して、パイプ２とパイプ３にもつり革を設けることにより、つり革を増設することができるものである。
【考案の効果】
【０００５】　従来のつり革の取り付いているパイプを改造してつり革を増設することができる。
【図面の簡単な説明】
【図１】　本考案による鉄道車両通勤車のつり革の増設構造の例である。
【符号の説明】
　　　１　従来からあるつり革の取付きパイプ
　　　２　従来パイプに直行する方向の増設パイプ
　　　３　従来パイプに平行な方向の増設パイプ
　　　４　パイプ結合金具
　　　５　つり革
【図２】
　本考案による鉄道車両通勤車のつり革の増設構造の例である。
【符号の説明】
　　　１　従来からあるつり革の取付きパイプ
　　　２　従来パイプに直行する方向の増設パイプ
　　　３　従来パイプに平行な方向の増設パイプ
　　　４　パイプ結合金具
　　　５　つり革
【図１】
0003100234.tif 000003
【図２】
0003100234.tif 000004
(57)【要約】　　　（修正有）【課題】子供の遊び場、公園などではペットの汚物の不始末が衛生上子供に害を与える汚物処理の問題を解決するペットの汚物処理使い捨て紙シャベルを提供する。【解決手段】ペットの汚物処理を厚紙を折ることによって強度を持たせ、特に握りの部分を重ね折りをし、強度をつけ弾力を増す。紙シャベルの表面に動物のキャラクターを描くことでファッション的にも対応できる。【選択図】図２
0003100231.tif 000002
【実用新案登録請求の範囲】
【請求項１】
厚手の紙を素材にし、使いやすいシャベルの形に切り取り紙を左右に曲げることにより強度がます、素材が紙なので安全性と環境にやさしくお年寄から小さな子供まで安心してペットの汚物処理ができる、
安全性と環境にやさしいのが特徴とするペットの汚物処理使い捨て紙シャベル
【考案の詳細な説明】
【技術の分野】
【０００１】本考案は紙を素材にし折り曲げることによって強度、弾力性を持つペットの汚物処使い捨てシャベルである。
【背景技術】
【０００２】従来の小型シャベルは金属製もしくはプラスチック製が多く用いられている、使用した後の掃除が必要である
【考案の開示】
【考案が解決しようとする課題】ペットの散歩に様々な苦情があります、とくに汚物処理においては深刻な問題を抱えています、子供の遊び場、公園などではペットの汚物の不始末が衛生上どれだけ子供に害を与えるか、親にとって悩みの種である、
飼い主の中には流行、ファション感覚で飼う人も少なくなく特に汚物処理などにあたっては無責任である、
【考案が解決するための手段】
本考案は、ペットの汚物処理を厚紙を折ることによって強度を持たす、特に握りの部分を重ね折りをし、強度をつけ弾力を増すことで問題を解決する、
紙シャベルの表面に動物のキャラクターを描くことでファション的にも対応できる、
【図面の簡単な説明】
【図１】ペット使い捨て紙シャベル組立図
【図２】考案組立完成図
【図１】
0003100231.tif 000003
【図２】
0003100231.tif 000004
(57)【要約】【目的】うちわの枝の部分と、布製の扇面を着脱できるようにする。【構成】うちわの枝の部分１に二本の支柱を設け、そこに布製の扇面２を着脱できるようにした。【選択図】　図３
0003100235.tif 000002
【実用新案登録請求の範囲】
【請求項１】
１のうちわの枝から伸びた二本の支柱に、２の布製の扇面を着脱するうちわ。
【考案の詳細な説明】
【０００１】
【考案が解決しようとする課題】
従来、うちわは枝の部分と扇の部分が一体となっており、その素材も扇面は紙でできているものがほとんどであるため、扇面を取り替えることができないという問題点を有していた。
【０００２】
【課題を解決するための手段】
上記目的を達成するため、うちわの枝の部分に二本の支柱を設け、そこに布製の扇面を着脱できるようにした。
【０００３】
【考案の結果】
扇面が汚れた場合やデザインを変更したい場合など、扇面だけ文換することができ、さらに布製の扇面を水で濡らすことで、気化熱による冷却効果も得られる。
【図面の簡単な説明】
【図１】うちわ全体の斜視図である。
【図２】うちわの枝の部分と扇面をはずしている斜視図である。
【図３】うちわの枝と、扇面の縫い合わせの構造図である。
【符号の説明】
１，うちわの枝
２，布製の扇面
【図１】
0003100235.tif 000003
【図２】
0003100235.tif 000004
【図３】
0003100235.tif 000005
【手続補正書】
【提出日】平成15年3月14日(2003.3.14)
【手続補正１】
【補正対象書類名】明細書
【補正対象項目名】実用新案登録請求の範囲
【補正方法】変更
【補正の内容】
【実用新案登録請求の範囲】
【請求項１】
うちわの枝から、布製の扇面を着脱でき、交換できるもの。
【手続補正２】
【補正対象書類名】図面
【補正対象項目名】全図
【補正方法】変更
【補正の内容】
【図１】
0003100235.tif 000006
【図２】
0003100235.tif 000007
【図３】
0003100235.tif 000008
【手続補正書】
【提出日】平成15年7月14日(2003.7.14)
【手続補正１】
【補正対象書類名】明細書
【補正対象項目名】実用新案登録請求の範囲
【補正方法】変更
【補正の内容】
【実用新案登録請求の範囲】
【請求項１】
うちわの持ち手の部分から二本の分岐した支柱をのばし、その部分に両端を袋状に縫った布製の扇を差し込み、着脱できるようにしたうちわ。
【手続補正書】
【提出日】平成15年10月15日(2003.10.15)
【手続補正１】
【補正対象書類名】明細書
【補正対象項目名】実用新案登録請求の範囲
【補正方法】変更
【補正の内容】
【実用新案登録請求の範囲】
【請求項１】
持ち手の部分から二本の分岐した支柱をのばし、その部分に両端を袋状に縫った布を前記支柱に着脱できるようにしたうちわ。
(57)【要約】　　　（修正有）【課題】本考案は強力保水性シートに鼻部、口部に呼吸口を設けピーリング施行の効率を図る。【解決手段】本考案は強力保水性ペーパーシートを使用することにより、使い捨てマスクとする。本体１に鼻部の呼吸口２及び口部の呼吸口３を設けることにより、呼吸を確保する。またピーリング剤がたまりやすく、冷却時にシートの接着が悪い部分にマスクを設けることにより十分な鎮静効果が得られ、ピーリング剤の皮膚への浸潤防止が可能となり、やけどの予防となる。付随シートにより水分補充を随時行え、鎮静効果の効率が上がり、ピーリング施行時の鎮静過程を効率よく進めることを可能にする。また１パックであることにより、医療機関、エステ等の作業での改善、経済的、時間的の効率を図ることを可能にする。【選択図】図１
0003100237.tif 000002
【実用新案登録請求の範囲】
【請求項１】
皮膚科、形成外科、エステ等でのピーリング施行中に鎮静させる目的で使用するフェイスマスクである。材質はキノクロスを使用。天然木材パルプ１００％の繊維を空気中に分散させてマットを形成し、特殊バインダーで接着シート化したものである。ピーリング施行時に、ピーリング剤の深部への浸潤を予防するため用いる、冷水をしみこませたペーパーマスクである。特に水分を十分吸収する素材を使用することにより、ピーリング施行後の赤味、痛みの軽減と鎮静に有効性が高い。また呼吸の妨げにならぬよう、鼻、口部は切り抜き、シートは保水性を有する。
【考案の詳細な説明】
【０００１】
【考案の属する技術分野】
本考案は、ピーリング施行後皮膚への水分の浸透を促す。また液漏れの防止に努めたフェイスマスクである。
【０００２】
【従来の技術】
皮膚科、形成外科、エステ等でのピーリング時において各自、フェイスタオル、布、ペーパータオルなどを使用していた。
【０００３】
【考案が解決しようとする課題】
フェイスタオル、布では一度の使用量が多く、また衛生面においても問題があった。また従来の物では素材的に水分の吸収が不十分であり、鎮静効果も低いものであった。ペーパータオルも使用量、製作等、経済的、労働的負担が大きい。従って本考案使い捨てフェイスマスクを使用することで、前述の欠点を解決しようとするものである。
【０００４】
【課題を解決するための手段】
本考案は、
▲１▼ペーパータオルを使用し、使い捨てることにより衛生面の改善を図る。また鼻、口部を切り抜くことにより、呼吸が確保できる。パックであるため一度の使用量が明確である。
▲２▼水分の吸収性のよい素材を使用することにより十分な鎮静効果が得られるようになった。
【０００５】
【考案の実施の形態】
ピーリング時に溶液の塗布後、本考案のフェイスマスクに冷水をしみこませ顔にのせる。また鼻のわきには付随のマスクをのせ、必要に応じ付随のマスクを使用する。また随時フェイスマスクの上にペーパーを重ねることにより、水分を補充することが可能である。
【０００６】
【実施例】
以下、添付図面に従って実施例を説明する。１がマスク本体である。ピーリング施行後の鎮静時に、患者の顔にのせる。４を鼻の脇にそえ必要に応じ、５のシートを使用する。
【０００７】
【考案の効果】保水性ペーパータオルを使用することにより、皮膚への水分の浸透が増す。また使い捨てであることにより衛生的である。各診療所において、本考案を使用することにより、経済的、時間的に無駄を無くす効果がある。
【図面の簡単な説明】
【図１】本考案のフェイスマスクの正面図である。
【図２】本考案の付随品である。
【符号の説明】
１　フェイスマスク本体
２　鼻部の呼吸口
３　口部の呼吸口
４　付随の鼻のわきのマスク
５　付随のシート
【図１】
0003100237.tif 000003
【図２】
0003100237.tif 000004
【手続補正書】
【提出日】平成15年6月16日(2003.6.16)
【手続補正１】
【補正対象書類名】明細書
【補正対象項目名】請求項１
【補正方法】変更
【補正の内容】
【請求項１】
材質は天然木材パルプ１００％の繊維を特殊バインダーでシート化した、キノクロスを使用した保水性ペーパーフェイスマスクパックである。
【手続補正書】
【提出日】平成15年10月20日(2003.10.20)
【手続補正１】
【補正対象書類名】明細書
【補正対象項目名】実用新案登録請求の範囲
【補正方法】変更
【補正の内容】
【実用新案登録請求の範囲】
【請求項１】
呼吸を確保するために鼻の呼吸口及び口の呼吸口部分を切り抜いた形状を有する、保水性を有するペーパータオルを素材としたシート状のマスクと、装着時に鼻の呼吸口部分より露出した鼻のわきにのせるための保水性を有するペーパータオルを素材としたシート状の付随マスクの組み合わせからなることを特徴とする保水性ペーパーフェイスマスクパック。
【手続補正２】
【補正対象書類名】明細書
【補正対象項目名】０００２
【補正方法】変更
【補正の内容】
【０００２】
皮膚科、形成外科、エステ等のピーリング時に、鎮静させる目的で各自がフェイスタオル、布、ペーパータオルを使用していた。


【手続補正３】
【補正対象書類名】明細書
【補正対象項目名】０００４
【補正方法】変更
【補正の内容】
【０００４】
【課題を解決するための手段】
本考案の保水性ペーパーフェイスマスクパックは、呼吸を確保するために鼻の呼吸口及び口の呼吸口部分を切り抜いた形状を有する、保水性を有するペーパータオルを素材としたシート状のマスクと、装着時に鼻の呼吸口部分より露出した鼻のわきに載せるための保水性を有するペーパータオルを素材としたシート状の付随マスクの組み合わせからなることを特徴とする。ここでは保水性を有するペーパータオルとして、天然木材パルプ１００パーセントの繊維を空気中に分散させてマットを形成し、特殊バインダーで接着シート化した商品名「キノクロス」を用いている。
【手続補正４】
【補正対象書類名】明細書
【補正対象項目名】０００７
【補正方法】変更
【補正の内容】
【０００７】
【考案の効果】
（１）　保水性ペーパータオルを使用することにより、皮膚への水分の浸透が増してピーリング剤への深部への浸潤を予防する。特に水分を十分吸収する素材を使用することにより、ピーリング施行後の赤味、痛みの軽減と鎮静に有効性が高い。（２）　使い捨てであることより衛生的である。
（３）　パックであるために一度の使用量が明確である。
（４）　以上の効果より各診療所において本考案の保水性ペーパーフェイスマスクパックを使用することにより、経済的、時間的に無駄を無くすことが可能となる。